(57)【要約】      （修正有）【課題】電気錠の錠箱の側で、モードを自動施錠モードの位置と連続解錠モードの位置に自由に切換える。【解決手段】錠箱４のフロント板４ａに直交して進退動するトリガー１２と、入力手段３１と、入力手段３１を自動施錠モードの位置と連続解錠モードの位置にそれぞれ繰り返して停止させるモード切換え手段と、デッドボルト１４を錠箱４内に後退させた状態を保持する解錠状態保持機構１５と、動力源の駆動力で施錠方向へ回転するダルマ２１と、ダルマ２１を介して機械的に出没するデッドボルト１４とを備え、入力手段３１が連続解錠モードの位置にある場合には、解錠状態保持機構１５は、トリガー１２に連動しないようにし、一方、入力手段３１が自動施錠モードの位置にある場合には、解錠状態保持機構１５はトリガー１２に連動し、デッドボルト１４を錠箱４内に後退させた状態を解消し、デッドボルト１４は動力源の駆動力で施錠方向へと突出する。【選択図】図１
2011214276.tif 000002
【特許請求の範囲】
【請求項１】
錠箱のフロント板に直交して進退動するトリガーと、該トリガーに対して併設されかつ前記フロント板の開口に対して進退動可能な入力手段と、該入力手段と錠箱の内壁面側に設けられていると共に該入力手段を自動施錠モードの位置と連続解錠モードの位置にそれぞれ繰り返して停止させるモード切換え手段と、デッドボルトを錠箱内に後退させた状態を保持する解錠状態保持機構と、動力源と、この動力源の駆動力で施錠方向へ回転するダルマと、該ダルマを介して機械的に出没するデッドボルトとを備え、前記入力手段が連続解錠モードの位置にある場合には、前記解錠状態保持機構は、前記入力手段に連動する連動部材を介してトリガーに連動しないようにし、一方、前記入力手段が自動施錠モードの位置にある場合には、前記解錠状態保持機構は、前記入力手段に連動する連動部材を介してトリガーに連動してデッドボルトを錠箱内に後退させた状態を解消し、該デッドボルトは前記動力源の駆動力で施錠方向へと突出すること特徴とする錠前。
【請求項２】
請求項１に於いて、デッドボルトを自動施錠する動力源は、付勢手段であることを特徴とする錠前。
【請求項３】
請求項２に於いて、解錠状態保持機構は、少なくともデッドボルトの没入状態を保持する摺動部材と、該摺動部材用のストッパレバーから成ることを特徴とする錠前。
【請求項４】
請求項１に於いて、モード切換え手段は、入力手段の案内部に往復動可能に設けられかつ一側面に自動施錠モードの位置用係止段部と連続解錠の位置用係止段部をそれぞれ有する一連のガイド溝が形成された摺動カムと、錠箱内の所定箇所に位置付けられていると共に、その係合端部が前記ガイド溝に係合するようにクリックバネで常に付勢されたクリックピンとから成ることを特徴とする錠前。
【請求項５】
請求項１に於いて、錠箱内には、入力手段、又は該入力手段に連動する連動部材のいずれかの位置変位により、モードが切り換った信号を取得する検知手段が配設されていることを特徴とする錠前。
【請求項６】
請求項１に於いて、トリガーは、先端部にマグネットを有し、閉戸時には戸枠側のマグネットの極性に対応して後退動し、一方、開扉時には、フロント板の開口縁部に取付けられたストッパ機能を有するフロントマグネット極性或いは金属板に対応して初期位置へと前進することを特徴とする錠前。
【発明の詳細な説明】
【技術分野】
【０００１】
本発明は、錠前に関し、例えば電気錠にも適用することができる錠前に関するする。
【背景技術】
【０００２】
特許文献１には、住宅用の気錠システムの一例が記載されている。その図３には、モード切換えスイッチ１６、１８等を制御器６に設ける事項が記載されている。すなわち、特許文献１には、「…室内の内壁面に設置される制御器６の操作パネル１１に、扉を開けっ放し状態に表示するドアランプ１５と、扉側の錠前を連続解錠状態と連続施錠状態に切換えるスイッチ１６、扉側の錠前を一時解錠状態にするスイッチ１８等に設ける事項…」が記載されている（符号は特許文献のもの）。
【０００３】
上記構成に於いて、連続施錠状態に切換えるスイッチ１６、一時解錠状態にするスイッチ１８等は、扉側ではなく、室内の内壁面の適宜箇所に設置される制御器６、具体的にはその前面の操作パネル１１に設けるので、扉に設置した電気錠から離れた場所（例えば室内の壁面）であっても、電気錠のモードを切換えることができるという利点がある。
しかしながら、この特許文献１には、操作パネル１１に複数個の切換えスイッチ（複数個の操作ボタン）をそれぞれ配設する必要があると共に、各切換えるスイッチと制御器６の制御回路とを複数個の端子を介してそれぞれ接続しなければならないという問題点がある。なお、特許文献１には、錠箱自体に機械的にモード切換える機構を配設する事項は記載されていない。
【先行技術文献】
【特許文献】
【０００４】
【特許文献１】特開２００８−８８７４０号
【発明の概要】
【発明が解決しようとする課題】
【０００５】
本願発明の所期の目的は、例えば錠前側（扉の傍）で、ワンタッチ操作を順次繰り返しながら、錠前の施・解錠に関する自動施錠モードの位置と連続解錠の位置を自由に切換えることができることである。付言すると、電気錠のみならず、機械的にのみ開閉可能な錠前にも適用することができることである。第２の目的は、モード切換え手段を含む各部材を合理的に組み合わせ、モードが確実に切換ると共に、実施例によっては、モードが切り換った信号を取得することができることである。
【課題を解決するための手段】
【０００６】
本発明の錠前は、錠箱のフロント板に直交して進退動するトリガーと、該トリガーに対して併設されかつ前記フロント板の開口に対して進退動可能な入力手段と、該入力手段と錠箱の内壁面側に設けられていると共に該入力手段を自動施錠モードの位置と連続解錠モードの位置にそれぞれ繰り返して停止させるモード切換え手段と、デッドボルトを錠箱内に後退させた状態を保持する解錠状態保持機構と、動力源と、この動力源の駆動力で施錠方向へ回転するダルマと、該ダルマを介して機械的に出没するデッドボルトとを備え、前記入力手段が連続解錠モードの位置にある場合には、前記解錠状態保持機構は、前記入力手段に連動する連動部材を介してトリガーに連動しないようにし、一方、前記入力手段が自動施錠モードの位置にある場合には、前記解錠状態保持機構は、前記入力手段に連動する連動部材を介してトリガーに連動し、デッドボルトを錠箱内に後退させた状態を解消し、該デッドボルトは前記動力源の駆動力で施錠方向へと突出すること特徴とする。
【０００７】
ここで「自動施錠」とは、開閉体を閉じた時にデッドボルトが動力源によりフロント板から自動的に突出することをいう。これ対して、「連続解錠」とは、開閉体を閉じた時にもデッドボルトが解錠状態保持機構に保持され、錠箱内へと後退したままの状態になっていることをいう。
【発明の効果】
【０００８】
（ａ）扉の傍で、ワンタッチ操作を順次繰り返しながら、錠前の施・解錠に関するモードを自由に切換えることができる。付言すると、錠箱のフロント板の開口に対してモード切換え手段を設けたので、特許文献の如く、複数個の切換え用操作ボタンを露出状態に室内の操作パネルに配設する必要がない。また、入力手段を押し込むと、モード切換え手段により、入力手段を自動施錠モードの位置と連続解錠の位置にそれぞれ繰り返して停止させることができる。したがって、入力手段を基準にして錠箱内の適宜箇所に単数又は複数個の検出手段を配設し、例えばモードが確実に切り換わったか否か、自動施錠モードか、それとも連続解錠モードか等の錠前の状態、扉が閉じているか、それとも開いているか等の扉の開閉状態を知るための信号等を取得することが可能になる。
（ｂ）請求項２に記載の発明は、デッドボルトを自動施錠する動力源は付勢手段なので、電気錠のみならず、普通一般の機械的錠前にも適用することができる。
（ｃ）請求項３に記載の発明は、解錠状態保持機構は、少なくともデッドボルトの没入状態を保持する摺動部材と、該摺動部材用のストッパレバーから成るので、部品点数が少ないと共に、デッドボルトに対する解錠状態保持機構の保持状態が解かれると、動力源としての付勢手段により、デッドボルトはダルマを介して自動的に突出する。
（ｄ）請求項４に記載の発明は、モード切換え手段は、入力手段の案内部に設けられかつ一側面に自動施錠モードの位置用係止段部と連続解錠の位置用係止段部をそれぞれ有する一連のガイド溝が形成された摺動カムと、錠箱内の所定箇所に位置付けられていると共に、その係合端部が前記ガイド溝に係合するようにクリックバネで常に付勢されたクリックピンとから成るので、確実にモードを繰り返し切換えることができる。
（ｅ）請求項５に記載の発明は、モードが切り換った信号を取得することができる。
（ｆ）請求項６に記載の発明は、トリガーは、先端部にマグネットを有し、閉戸時には戸枠側のマグネットの極性に対応して後退動し、一方、開扉時には、フロント板の開口縁部に取付けられたストッパ機能を有するフロントマグネット極性に対応して初期位置へと前進するので、必ずしもバネを組み込む必要性がない。
【図面の簡単な説明】
【０００９】
図１乃至図１７は本発明の第１実施例を示す各説明図。図１８乃至図２６は本発明の第２実施例を示す各説明図。図２７はトリガーを初期位置へ復帰させる別の実施例を示す説明図。
【図１】本発明を適用した第１実施例の錠前（例えば電気錠）全体のシステムを示す概略説明図。
【図２】ブロックを用いた本発明の概念図である。
【図３】入力手段３１とトリガー１２とが併設された状態の斜視図。
【図４】要部（入力手段３１、モード切換え手段、連動部材、復帰バネ）を示す概略説明図。
【図５】要部（入力手段３１と、この入力手段３１の案内部に組み込まれる摺動カム）を示す斜視図。
【図６】要部（入力手段３１と復帰バネ３６の組み合わせ）を示す概略説明図。
【図７】要部（入力手段３１と、連動部材信号取得用連動部材３２と、検知手段３３）の説明図。
【図８】要部（モード切換え手段４９）の説明図。
【図９】要部（摺動カム５０）の斜視図。
【図１０】要部（摺動カム５０とクリックピン５２のモード切換え停止位置）の正面視からの概略断面説明図。
【図１１】摺動カム５０のガイド溝５１を展開状態で示した説明図。
【図１２】クリックピン５２の軌跡がＡ点から循環移動することを示す概略説明図。
【図１３】図１３の（ａ）は、自動施錠モードの位置、一方、図１３の（ｂ）は、連続解除モードの位置をそれぞれ示す。
【図１４】閉扉時、トリガーが後退して解錠状態保持機構１５のストッパレバー１７が回転した自動施錠モードの状態を示す説明図。
【図１５】閉扉時でも、トリガーが連動部材でロックされているため、解錠状態保持機構１５はトリガーの影響を受けない連続解錠モードの状態を示す説明図。
【図１６】自動施錠モードの状態を示す説明図。
【図１７】連続解錠の状態を示す説明図。
【図１８】本発明の第２実施例を示す説明図（自動施錠モードの状態）。
【図１９】自動施錠モードの状態における開扉時の説明図。
【図２０】自動施錠モードの状態における閉扉時の説明図。
【図２１】連続解錠モードの状態を示す説明図。
【図２２】閉扉時、解錠状態保持機構１５はトリガーの影響を受けないことを示す説明図。
【図２３】要部の分解斜視図。
【図２４】要部（連動部材の押圧片）の説明図。
【図２５】要部（連動部材の可動片）の説明図。
【図２６】要部（連動部材の可動片と押圧片の係わり）の説明図。
【図２７】トリガーを初期位置へ復帰させる別の実施例を示す説明図。
【発明を実施するための最良の形態】
【００１０】
（１）本発明の環境部材の一例
以下、図１乃至図１５に示す第１実施形態により説明する。図１は本発明を適用した錠前、例えば電気錠全体のシステムを示す概略説明図である。なお、本発明は、電気錠でない、普通一般の機械的に扉を開閉可能な錠前にも適用することができる。
図に於いて、まず、１は戸枠、２は戸枠に設けられた受け具、３は開閉体としての扉である。Ｘは錠箱４の外に設けられた制御部６を含む電気錠で、この電気錠Ｘの錠箱４は、例えばガラス扉３の自由端部側の縦框３ａの中に組み込まれている。錠箱４は縦長に形成され、前記扉３乃至該錠箱４内には、本発明の構成部材と共に、電気錠Ｘを構成する主な部材が直接又は間接的に設けられている。
【００１１】
すなわち、５は電源、６は壁や扉に設けられかつ認証機能を有する制御部、７はコネクタを含む配線手段、８は錠箱４に設けられた電気錠制御用プリント基板、３３はプリント基板の下端部に設けられた後述の自動施錠状態及び連続解錠状態用のモード切換え確認用スイッチ、１０は駆動モータ、１１は複数固の伝動歯車を含む動力伝達手段である。
【００１２】
次に、１２は錠箱４の略中央部に水平状態に設けられたトリガーで、紙面上、このトリガー１２の裏側に本願発明を構成するモード切換え用入力手段３１が併設状態に存在する。トリガー１２及びモード切換え用入力手段３１の下方に所要の空間を有してデッドボルト（以下、ここでは「デッド」の用語を用いる）１４が出没自在の配設されている。
【００１３】
電気錠Ｘの錠箱４内の所要空間には、デッド１４を錠箱４内に後退させた状態を保持する解錠状態保持機構１５が配設され、該解錠状態保持機構１５は、少なくともデッド１４の没入状態を保持する摺動部材１６と、該摺動部材用のストッパレバー１７から成る。
【００１４】
しかして、前記摺動部材用のストッパレバー１７は、前述したトリガー１２の後端部に係合するように上方に伸長する第１係合腕１７ａ、摺動部材１６のピン状被係合部１６ａにその先端部が係脱する斜め方向第２係合腕１７ｂ、錠箱４の後壁側に配設したバネ部材１８の一端部を受ける斜め方向バネ受け腕１７ｃ等をそれぞれ有し、かつ、固定軸１９に軸支されている。
【００１５】
また、前記摺動部材１６は、下辺部にダルマ２１に噛合するラック２０を有し、図示しない案内手段を介して斜め方向に往復動可能である。２３はダルマ２１の近傍に配設された動力源としての付勢手段で、該動力源２３は錠箱側に一端部が取付けられ、一方、他端部がダルマ２１に取付けられている。動力源２３は、例えば捩じりコイルバネ２３ａと、該捩じりコイルバネの螺旋状中央部を横柱で支持する可動のバネガイド２３ｂとから成る。
【００１６】
次に、ダルマ２１とデッド１４には、駆動リンク２４、作動アーム２５及びデッド用ストッパ２６が介在している。すなわち、本実施例では、前記駆動リンク２４の両端部は、ダルマ２１及びデッド１４にそれぞれ連結され、また、前記作動アーム２５の上端部はダルマ２１に枢支され、一方、該作動アーム２５の下端部は、錠箱１側に設けられた案内切欠部２７に案内される横杆状のデッド用ストッパ２６が取付けられている。そして、前記デッド用ストッパ２６は、前記デッド４が付勢手段２３の付勢力によって完全に突出した自動施錠モード時には、前記案内切欠部２７に案内されてデッド１４の後端面をロックする。周知のように、ダルマ２１は、駆動モータ１０の駆動力、図示しないシリンダー装置、サムターン装置等の機械的操作手段の操作力（合鍵の操作力、サムター摘みの操作力）により回動する。
【００１７】
次に、図１は、本発明の実施例が、該トリガー１２に対して併設されかつフロント板４ａの開口９に対して進退動可能な入力手段（例えば操作板）３１と、該入力手段と錠箱４の内壁面側に設けられていると共に該入力手段を自動施錠モードの位置と連続解錠モードの位置にそれぞれ繰り返して停止させるモード切換え手段４９と、デッドボルト１４を錠箱内に後退させた状態を保持する解錠状態保持機構１５と、デッド突出用の動力源２３と、この動力源の駆動力で施錠方向へ回転するダルマ２１と、該ダルマを介して機械的に出没するデッド１４を備えていることを示している。
【００１８】
しかして、本発明の実施例にあっては、（ａ）前記入力手段３１が開口９を介して指で押し込まれ、例えば連続解錠モードの位置にある場合には、前記解錠状態保持機構１５は、前記入力手段３１に連動する連動部材を介してトリガー１２に連動しないようにし、（ｂ）一方、前記入力手段３１が自動施錠モードの位置にある場合には、前記解錠状態保持機構１５は、前記入力手段に連動する連動部材を介してトリガー１２に連動し、デッド１４を錠箱内に後退させた状態を解消し、該デッドは前記動力源の駆動力で施錠方向へと突出する。なお、前記連動部材は、単数又は複数の係合片を組み合わせることにより、前記解錠状態保持機構１５を構成する摺動部材用のストッパレバー１７を作動させたり、或いはトリガー１２をロックしたり、そのロックを解消させたりしている。
【００１９】
付言すると、入力手段３１が自動施錠モードの位置にある場合には、例えば扉３を閉じると、トリガー１２が作動（後退）して、解錠状態保持機構１５のストッパレバー１７がデッド１４の保持状態を解く方向へと回転し、その後、ダルマ２１は付勢手段２３の付勢力により自動的に施錠方向へと回動して、仮想線で示したデッド１４が受け金具２に係入する（自動施錠）。この場合、図１４で示すように、摺動部材用のストッパレバー１７の第２係合腕１７ｂが、傾斜方向にスライド可能な摺動部材１６の被係合部１６ａから外れる。これに対して、入力手段が「自動施錠モード」から「連続解錠モード」へと切換わり、連続解錠モードの位置にある場合には（この場合、錠前が電気錠である場合には、電気錠制御部は、例えばモード切換え確認用スイッチ３３を介して、連続解錠信号を取得する。）図１５で示すように、摺動部材用のストッパレバー１７の第２係合腕１７ｂは、第１は摺動部材１６の被係合部１６ａを係止している。
【００２０】
したがって、摺動部材１６、該摺動部材のラック２０に噛合するダルマ２１及びデッド１４は、それぞれ解錠の位置にあり、前記係合腕１７ａが前記被係合部１６ａから外れない限り（図１４の矢印Ｂ方向へストッパレバー１７が回転しない限り）、デッド１４が錠箱４内に引っ込んだ状態が続く。そこで、本発明の錠前について、電気錠システムを参照にして説明する。
【００２１】
（２）電気錠システムの概念図
図２は電気錠システムの概念図である。図に於いて、３１は手動操作で位置変位するモード切換え用の入力手段（操作板）で、該モード切換え用の入力手段３１は後述のモード切換え手段（例えばクリック手段を構成するクリックピンと、該クリックピンの先端部と係合する摺動カム）４９を備えている。３２は、この第１実施例では、主に、信号取得用連動部材で、図７で示すように、該信号取得用連動部材３２はモード切換え用入力手段３１と共働することができるようにその先端部が錠箱４に軸支されていると共に、その被係合部（あるいは係合部）が、前記モード切換え用入力手段３１の係合部（或いは被係合部）と係合し、かつ、モード切換え用入力手段３１がフロント板側から押し込まれると、該モード切換え用入力手段３１に連動して位置変位する（図１３参照）。
【００２２】
３３は単数又は複数のモード切換え確認用スイッチで、例えば可動接片を有するマイクロスイッチが用いられている。なお、このモード切換え確認用スイッチ３３は、必ずしも、信号取得用連動部材３２に対して配設する必要はなく、入力手段３１に対して配設しても良い。望ましくは、入力手段３１に突片状の遮蔽部３９を設け（図５参照）、一方、モード切換え確認用スイッチ３３、自動施錠モードの位置と連続解錠モードの位置をそれぞれ検出する図示しない光センサー型の検出手段等を錠箱４内に複数個を適宜配設する。
【００２３】
６は外制御部及び電気錠制御用プリント基板８とから成る制御部、５は電源、１０乃至２７は駆動モータ１０、動力伝達手段１１、トリガー１２等の電気錠Ｘを構成する主な構成部材、２８は錠箱内の適宜箇所に配設された複数固の検知器、２９は前記モード切換え確認用スイッチ３３以外の扉、壁等に配設された解除信号発生手段、３０は表示手段である。
【００２４】
入力手段３１は、図３で示すように、長板状の摺動体であり、錠箱４のフロント板４ａに形成した開口９に、その先端部が位置し、ある或いは臨むようにトリガー１２と共に併設されている。図４で示すように信号取得用連動部材３２は、モード切換え用入力手段３１に連動して位置変位、例えば時計方向又は反時計方向に回転すると、モード切換え確認用スイッチ３３の可動接片を押圧し、その押圧状態を保持する共働片である。
【００２５】
ところで、電気錠Ｘの施・解錠状態に関する「状態信号」は、例えば連続解錠状態、連続施錠状態、一時施錠、一時解錠の「４つ」が存在するので、モード切換え用入力手段３１は、理論上、そのいずれか一つに切換えるように構成することもできる。しかしながら、本実施例では、少なくとも機械的に「自動施錠モードの位置」又は「連続解錠モードの位置」のいずれか一つに切換えることができれば良い。もちろん、前記２つの態様に「連続施錠状態」を加味しても良い。
【００２６】
制御部６は、例えば商用交流電圧を直流に変換する電源回路や電池を含む電源５と接続し、各種の信号を処理する。検知手段２８は閉扉信号や開扉信号を取得するものである。解除信号発生手段２９は、テンキー、リモコンキー、カード読取り器などであり、接触又は非接触方式で電気錠Ｘを室外から解錠することができる。表示手段３０はランプの点灯または消灯に基づいて、連続解錠状態、連続施錠状態、一時解錠状態、扉の開けっ放し状態等を視覚により識別するためのものである。
【００２７】
（３）本発明の主要部
図３は、入力手段３１とトリガー１２とが併設された状態の斜視図である。手前がケース状先端部を有するトリガー１２で、この裏側にやや長板状のモード切換え用入力手段３１が位置している。トリガー１２と入力手段３１は別個の部材であり、トリガー１２はケース状先端部に図示しない磁性体を有し、閉扉時、例えば戸枠側の磁性体の極性に対応して錠箱内へ若干後退動することができる。また、入力手段３１とトリガー１２は別個の部材であるから、入力手段３１のみを単独で押し込むことができる。
【００２８】
図４は図３で示したトリガー１２を省略し、本発明の要部を示す概略説明図である。図４は、例えば自動施錠モードの一例である。図に於いて、９はフロント板４ａに形成された開口で、入力手段３１は、その先端部３１ａが該開口９を臨むように或いは開口９に位置するように配設されている。付言すると、モード切換え用入力手段３１は、錠箱４のフロント板４ａに形成した開口９に対して水平動自在に配設されている。入力手段３１の右上方には、錠箱４側の固定ピン３５に復帰バネ３６が設けられ、該復帰バネ３６は入力手段３１をフロント板４ａの開口９側に常に付勢している。したがって、入力手段３１の先端部を、開口９を介して指で押し込むと、該入力手段３１は復帰バネ３６のバネ力に抗して所定位置まで後退し、モード切換え手段４９により一時停止する。
【００２９】
図５は入力手段３１と、モード切換え手段４９の一方を構成する摺動カム５０とを示す斜視図である。摺動カム５０はこの入力手段３１の案内部に組み込まれ、紙面上、上下方向に自在に移動可能である。図６は入力手段３１と復帰バネ３６の組み合わせを示す概略説明図である。これらの図に於いて、３１ａは入力手段３１の先端部で、該先端部にはやや小片状の押圧部３７が設けられている。この押圧部３７を図示しない指で押し込むと、入力手段３１は復帰バネ３６のバネ力に抗して位置変位する。なお、入力手段３１を押し込む際に、前記押圧部３７がトリガー１２の先端部に当たらないように、例えばトリガー１２の対向側壁には図示しない切欠凹所が形成されている。
【００３０】
３８は中央部（先端部寄りの部位も含む）に形成された開口又は凹所状の案内部で、本実施例では、該案内部３８は矩形状の開口である。この開口部３８の左右対向内面に上下方向に一対のガイドレール３８ａ、３８ａが形成されている。矩形板状の摺動カム５０は、前記案内部３８に上下方向に移動可能に組み込まれる。３９は、入力手段３１の上辺の中央部に突設された突片部分で、この突片部分３９の先端部は、前述したように、図示しない光センサー型検出手段、磁気感応型検出手段等の遮蔽部（或いは磁気部）と成っている。
【００３１】
４０は突片部分３９よりも後方側に設けられたピン状の係合部で、本実施例では入力手段３１の上端部の適宜箇所から水平状態に突出している。４１は入力手段３１の裏面に突設されたバネ受けである。図６で示すように、復帰バネ３６は開きバネが使用され、その中央部は固定ピン３５に巻装され、一端部３６ａは前記バネ受け４１に支持されていると共に、その他端部３６ｂは錠箱側に設けられた突起４２に支持されている。したがって、入力手段３１は復帰バネ３６のバネ力が開口９側に作用するように錠箱４内にスライド可能に設けられ、前記開口９を介して押圧されると、後述のモード切換え手段（摺動カム、クリックピン、クリックバネ）４９を介して選択的に所定位置にて停止する。
【００３２】
図７は入力手段３１に連動する信号取得用連動部材３２の説明図である。この連動部材３２は、第１実施例では、例えばモードが切り換わったか否かを確実に知るために用いられている。もちろん、この連動部材３２をトリガー１２用のロック片やトリガー１２からの入力を切断するための係合片に関連付けることもできる（第２実施例）。ここでは、主に信号取得用に関連付けられている。
【００３３】
さて、信号取得用連動部材３２は、錠箱４のケース蓋４ｃの内壁面に設けられた横軸４４に軸支され、かつ、入力手段３１のピン状係合部４０に溝状の被係合部分を介して係合している。しかして、信号取得用連動部材３２の形態は特に問わないが、例えば先端部に錠箱側の横軸４４に外嵌合する筒状嵌合部４５を有すると共に、該筒状嵌合部４５に腕状の押圧部兼用被案内部４６が連設している。前記押圧部兼用被案内部４６の連設部分の上面はやや傾斜状の押圧面４６ａとなっており、この傾斜状押圧面４６ａはモード切換え確認スイッチ３３の可動接片３３ａに接触する。また、連設部分の一側面には水平状態から下り坂状に連設する溝状の被案内部分４６ｂが形成され、該溝状被案内部分４６ｂに入力手段のピン状係合部４０が係合する。
【００３４】
したがって、信号取得用連動部材３２は入力手段に連動するように錠箱に軸支されていると共に、位置変位すると、モード切換えスイッチ３３の可動接片３３ａを押圧する。このように信号取得用連動部材３２が位置変位すると、モード切換え確認スイッチ３３は、「自動施錠モードの位置」か、それとも「連続解除モードの位置」のいずれかに切換わったことを検出し、該確認信号は制御部６，７に送られる。
【００３５】
次に、図８乃至図１１を参照にして、入力手段３１を所定位置に選択的に停止させるモード切換え手段（例えばクリック手段）４９を説明する。図８はモード切換え手段４９の分解斜視図である。この図から明らかなように、モード切換え手段４９は、入力手段３１の案内部３８に摺動自在に組み込まれる矩形状の摺動カム５０と、この摺動カム５０の一側面に形成された一連のガイド溝５１にその係合端部５２ａが係合するクリックピン５２と、このクリックピンを常に係合方向へと付勢するクリックバネ５３とから成り、前記クリックピン５２の他端部５２ｂは、クリックバネ５３に付勢された状態で錠箱４側の固定案内部或いは固定案内部材５４に嵌合している。
【００３６】
したがって、モード切換え手段４９の一方を構成する入力手段３１側の摺動カム５０は、入力手段３１と共に矢印で示す方向へ位置変位可能であるのに対して、モード切換え手段４９の他方を構成するクリックピン５２及びクリックバネ５３は錠箱４側の固定案内部５４に摺動カム５０と一緒に移動しないように位置付けられ、摺動カム５０のガイド溝５１に形成した複数個のモード切換え用段差部にそれぞれ係止状態に係合可能である。
【００３７】
図９は摺動カム５０の斜視図である。また、図１０は摺動カム５０の正面視かの概略断面説明図である。さらに、図１１は摺動カム５０のガイド溝５１を展開状態で示し、かつ固定案内部５４側のクリックピン５２及びクリックバネ５３も共に示したものである。
【００３８】
図９で示すように、摺動カム５０は、その幅広の正面部５０ａに「挟み形状」或いは「ハート形状」のイメージを彷彿される幾何学形状のガイド溝５１が形成されている。また、摺動カム５０は前記幅広の正面部５０ａに連設する幅狭の背面部５０ｂを有し、該幅狭の背面部５０ｂと幅広の正面部５０ａの左右のＬ形状の段差部分が入力手段３１の案内部３８のガイドレール３８ａ、３８ａに案内される。したがって、本実施例では、入力手段３１が水平方向に移動すると、摺動カム５０は、前記案内部３８に案内されて入力手段３１に直交する垂直方向へと移動可能である。
【００３９】
図１０は、ガイド溝５１を判り易く示した概略断面説明図である。この図に於いて、溝の浅い所、深い所、傾斜面、ストッパ面等を容易に理解することはできないが、それらは図１１を参照にして理解することができる。
【００４０】
ここで図１０を参照にして、クリックピン５２の位置を説明する。なお、図面上、クリックピン５２が一連のガイド溝５１内を一方向へと循環移動するように見えるが、これは説明の便宜上のもので、クリックピン５２は所定位置にあり、実際は、摺動カム５０の方が入力手段３１と共働して上下左右に位置変位する。
【００４１】
さて、一連のガイド溝５１には、少なくとも「１つのモード用係止段部５１ａ」と「他のモード用係止段部５１ｂ」が存在する。本実施例では、「１つのモード用係止段部」は自動施錠モード用係止段部５１ａであり、一方、「他のモード用係止段部」は連続解除モード用係止段部５１ｂである。前述したように入力手段３１には復帰バネ３６のバネ力が常に紙面上矢印で示す左方向に作用していることから、例えば仮に一連のガイド溝５１の先端部に相当する山形状或いは弧状の第１係止面（ストッパ面）５５を有する段差部分を自動施錠モード用係止段部５１ａであるとすれば、断面で示したクリックピン５２は前記第１係止面５５に係止状態で係合する。
【００４２】
これに対して、一連のガイド溝５１の中央部に相当する山形状或いは弧状の第２係止面（ストッパ面）５６を有する段差部分を連続解除モード用係止段部５１ｂであるとすれば、入力手段３１と共働して所定方向へと位置変位した摺動カム５０は、前記第２係止面５６に係止状態で係合する。このように一連のガイド溝５１を介して摺動カム５０が移動すると、モード切換え手段を構成するクリックピン５２の係合端部５２ａと、これに係止されるガイド溝５１の複数個のモード用係止段部５１ａ、５１ｂとが入れ替わる。
【００４３】
図１１の展開状態ガイド溝５１の詳細な説明については割愛する。この展開図に於いて、右側の平な面と、左側の平な面は同一である。つまり、左右の平らな面は自動施錠モード用係止段部５１ａである。これに対して、展開図の中央部の平らな面が、次にクリックピン５２が係止状態で停止する連続解除モード用係止段部５１ｂである。摺動カム５０や矢印で示す紙面上右側に移動すると、実践で示したクリックピン５２は、自動施錠モード用係止段部５１ａの位置からから連続解除モード用係止段部５１ｂの位置へと入れ替わる。そして、また、入力手段を操作すると、クリックピン５２は連続解除モード用係止段部５１ｂの位置から自動施錠モード用係止段部５１ａの位置へと入れ替わる。
【００４４】
図１２は、摺動カム５０の方が入力手段３１と共働して上下左右に移動した際、クリックピン５２が、自動施錠モード用係止段部５１ａから連続解除モード用係止段部５１ｂへ、該連続解除モード用係止段部５１ｂから自動施錠モード用係止段部５１ａへと切換る旨の概略説明図である。この図１２では、クリックピン５２の軌跡が、Ａ点からＢ点、Ｂ点からＣ点、Ｃ点からＤ点から、Ｄ点からＡ点へと循環移動することを示している。なお、二股状の上溝ポイントＢ点及び下溝ポイントＤ点は、モード位置がＡ点からＣ点、Ｃ点からＡ点へ切換わる際の折り返し点である。
【００４５】
また、図１３の（ａ）は、自動施錠モードの検出位置、一方、図１３の（ｂ）は、連続解除モードの検出位置をそれぞれ示す。なお、例えば光センサー型検出手段、磁気感応型検出手段等の検出手段を用いる場合には、前述したように可動接片型の検出手段を必ずしも配設しなくても良い。そのような場合には、入力手段３１の遮蔽部３９に対応して、例えば発光・受光素子等を含む光センサーを配設する。このように、本実施例では、摺動カム５０の一側面には、「１つのモード用係止段部５１ａ」と「他のモード用係止段部５１ｂ」をそれぞれ有する一連のガイド溝が形成され、これらのモード用係止段部５１ａ、５１ｂに交互に入れ替わるようにクリックピン５２の係合端部５２ａが係止状態に係合し、該切換わった状態を錠箱内の適宜箇所に設けた検出手段が検知することにより、電気錠の場合には、制御部は該検出手段が検出したモード切換え確認信号を、記億部に記録する。
【００４６】
（４）解錠状態保持機構１５
解錠状態保持機構１５は、なくともデッド１４の没入状態を保持する摺動部材１６と、該摺動部材用のストッパレバー１７から成る。閉扉時、図１４で示すように、トリガー１２が矢印Ａの方向へ後退動し、前記ストッパレバー１７が該トリガー１２に連動して矢印Ｂ方向回転すると、その第２係合腕１７ｂが摺動部材１６の被係合部１６ａから離れ、その結果、デッド１４は付勢手段２３の付勢力により錠箱４から完全に突出した施錠状態と成る。
【００４７】
そこで、操作部材（合鍵やサムターン）の操作力又は駆動モータ１０の駆動力に基づいてダルマ２１が付勢手段２３の付勢力に抗して錠箱４内に没入した場合、摺動部材１６は、そのラック（或いはラック板）２０がダルマ２１に噛み合いながら施錠位置から解錠位置へと位置変位し、かつ位置変位した該摺動部材１６はストッパレバー１７の第２係合腕１７ｂに係止される。
【００４８】
付言すると、本実施例の解錠状態保持機構１５は、図１５で示すように、デッド１４が錠箱４内に没入した時、該デッド１４が錠箱４から飛び出ないように保持する摺動部材１６及び該摺動部材用ストッパレバー１７で構成されているので、ストッパレバー１７の先端部の第２係合腕１７ｂが摺動部材１６の被係合部１６ａから離れない限り、「連続解錠モードの状態」を維持し続ける。
【００４９】
したがって、解錠時、駆動モータ１０の駆動力、閉扉時におけるトリガー１２の後退動のいずれか基づいて、前記解錠状態保持機構１５の保持状態が解かれると（図１４の状態）、以後、ダルマ２１は動力源（付勢手段）２３の駆動力（付勢力）により自動的に施錠方向へと回動して、デッド１４が錠箱４から自動的に完全に突出することになるから、「連続解錠モードの状態」にするためには、前述したように入力手段３１を連続解錠モードの位置にする必要がある。
【００５０】
そこで、入力手段３１が押し込まれて連続解錠モードの位置にある場合には、解錠状態保持機構１５は、前記入力手段３１に連動する連動部材を介してトリガーに連動しないようにし、一方、前記入力手段３１が自動施錠モードの位置にある場合には、前記解錠状態保持機構１５は、前記入力手段３１に連動する連動部材を介してトリガーに連動してデッド１４を錠箱４内に後退させた状態を解消し、該デッド１４は動力源２３の駆動力で施錠方向へと突出するようにする必要がある。
【００５１】
図１６及び図１７は、モード切換え用連動部材６１が錠箱４側の固定軸６５に軸支されていると共に、係合手段６２を介して入力手段３１に連動するように組み合わせられていることを示している。
【００５２】
まず、図１６は錠前が自動施錠モードである場合を示し、この自動施錠モードでは、トリガー１２をロックするためのモード切換え用連動部材６１の係合縁部６１ａは、トリガー１２に設けた被係合部（例えば突起）１２ａと係合していない。この第１実施例のモード切換え用連動部材６１は、トリガー１２の動きを殺すために設けられたものであるから、入力手段３１が図面上、左側（フロント４側）に位置している場合には、トリガー１２は自由である。
【００５３】
しかしながら、入力手段３１が図面上、右側（フロント４側）から離れた場合には、すなわち、矢印で示すように、入力手段３１が押し込まれ場合には、モード切換え用連動部材６１は係合手段（入力手段３１のガイド溝６３、連動部材の係合ピン６４）６２を介してトリガー１２をロックする方向へと若干回転するので、錠前は連続解錠モードに成る。
なお、この第１実施例では、入力手段３１の後端部に水平方向に段差状に設けた案内部分（ガイド溝）６３が設けられ、一方、モード切換え用連動部材６１の遊端部６１ｂには前記案内部分６３に常時係合する係合ピン６４が設けられている。したがって、入力手段３１を繰り返して押し込むと、モード切換え用連動部材６１は係合手段６２を介して固定軸６５を支点に時計方向又は反時計方向へと回転し、その係合縁部６１ａがトリガー１２の被係合部（突起）１２ａと係脱する。
【００５４】
ところで、本実施例では、縦長錠箱４の内部空間を有効的に活用するために、摺動部材１６は錠箱４の前壁内面と錠箱後壁の各内面の間を、傾斜案内部を介して傾方向に往復運動をする。また、動力源（付勢手段）２３は、安定した状態で作用するように、捩じりコイルバネ２３ａと、該捩じりコイルバネの螺旋状中央部を横柱で支持する可動のバネガイド２３ｂとから成る。
【００５５】
さらに、ダルマ２１には、駆動リンク１４のみならず、作動アーム２５の上端部が枢支され、一方、該作動アームの下端部には、錠箱側に設けられた案内切欠部２７に直接又は間接的な案内される横杆状のデッド用ストッパ２６を取付け、該デッド用ストッパは、前記デッド１４が付勢手段２３の付勢力によって完全に突出した施錠時には、前記案内切欠部２７に案内されてデッド１４の後端面をロックする。
【実施例】
【００５６】
この欄では、図１８乃至図２６に示す本発明の第２実施例と、図２７のトリガーを初期位置へ復帰させる別の実施例をそれぞれ説明する。なお、これらの実施例を説明するに当って、前記第１実施例と同一の部分には同一又は同様の符号を付して重複する説明を省略する。
【００５７】
本発明の第２実施例と前記第１実施例と主に異なる点は、モード切換え用連動部材６１は、「トリガー１２をロックするか否か」、という観点から入力手段３１に連動するように組み合わせられているのに対して、第２実施例のモード切換え用連動部材６１Ａは、閉扉時にトリガー１２Ａが後退しても、「該トリガー１２Ａからの力が解錠状態保持機構１５の摺動部材用ストッパレバー１７に伝わらないようにすること」、という観点から入力手段３１に連動するように組み合わせられている。
【００５８】
そこで、細部的事項の説明は割愛するが、この第２実施例のモード切換え用連動部材６１Ａは、トリガー１２Ａと摺動部材用ストッパレバー１７との間に介在する「間接部材」に相当するもので、例えばニ物品の共働片と、該共働片を初期位置へ戻す復帰手段とから構成されている。
【００５９】
この第２実施例は、自動施錠モードの場合には、トリガー１２Ａが後退動した時に、ストッパレバー１７はトリガーと共働するモード切換え用連動部材（間接部材）６１Ａを介して回転する。間接部材６１Ａは、トリガー１２Ａの後端部とストッパレバー１７の第１係合腕１７ａの間に互いに共働或いは連係することができるように介在している。
【００６０】
しかして、間接部材６１Ａは、例えば右手の三本の指をそれぞれ所定角度広げた格好の押圧片６６と、この押圧片６６に係合すると共にストッパレバー１７の第１係合腕１７ａと係合する可動片６７とから成る。
【００６１】
もちろん、設計如何によっては、間接部材６１Aを複数片の組み合わせではなく、「一つの部材」にすることができる。しかしながら、望ましくは、ストッパレバー１７を確実に回転させるため、或いは戸枠の縦枠と開閉体３の縦框３ａとの間のクリアランス等を考慮して、前記押圧片６６は、例えばトリガー１２Ａが第１バネ部材６８のバネ部材のバネ力に抗して後退する際に、若干後退動しながら該トリガー１２Ａの後端部の係合部１２ｄから離れる後退・回転型に構成し、また、前記可動片６７は、前記押圧片６６の後方アームに押圧されながら後方へと位置変位する後退型に構成する。
【００６２】
ところで、押圧片６６は、中央部分６６ａから先端部へと延在しかつトリガー１２Ａの係合部１２ｄに係脱する前方アーム６６ｂと、前記中央部分６６ａから後方へと略水平状態に延在すると共に、錠箱４の一側壁の内壁面にガイド６９を介して案内されるように後方へと略水平状態に延在する後方アーム６６ｃと、前記中央部分６６ａから上方に延在しかつ錠箱内に適宜に配設された第２バネ部材７１のバネ力に抗して回転変位する上方アーム６６ｄをそれぞれ有している。
【００６３】
一方、引き上げ用連動部材３２Aは、第１実施例の信号取得用連動部材３２に相当する部材であり、その具体的構成は、信号取得用連動部材３２と同様である。したがって、その形態は特に問わないが、例えば先端部に錠箱側の横軸４４に外嵌合する筒状嵌合部４５を有すると共に、該筒状嵌合部４５に腕状の引き上げ用兼用被案内部４６が連設している（便宜上、信号取得用連動部材３２と同様の符号を用いる）。
付言すると、引き上げ用連動部材３２Aは、その先端部に筒状嵌合部４５と、該筒状嵌合部からＬ字形状に連設する係合端部４６とを有し、前記係合端部４６の一側壁には、入力手段３１に設けたピン状の係合部４０が係合する、水平方向に段差状の被案内部分４６ｂが形成されている。
【００６４】
そして、前記腕状の引き上げ用兼用被案内部４６は、つまり、押圧片６６引き上げ用係合部分４６は、押圧片６６の中央部の係合部分に係合している。このように、第２実施例のモード切換え用連動部材（間接部材）６１Ａは、第１実施例の信号取得用連動部材３２を共働片の一つとして代用している。
【００６５】
さて、図１８は自動動施錠モードの状態を示す。図１９は自動施錠モードの状態における開扉時の状態である。自動施錠モードでは、入力手段がフロント板側に位置しているので、押圧片６６は引き上げ用連動部材３２Aによって上方に引き上げられていない。したがって、図２０で示すように、閉扉時、トリガー１２Ａがやや回転しながら後退動すると（錠箱側の傾斜状ガイド部分は省略）、前述したように、ストッパレバー１７は、間接部材６１Ａを介してトリガー１２Ａの影響を受け、摺動部材１６に対してストッパを解く方向へと回転する。それ故に、デッド１４は動力源２３のバネ力により錠箱から突出する。
これに対して、図２１は連続解錠モードの状態を示す説明図である。この場合、入力手段３１はフロント４の開口９を介して指で押し込まれ、フロント板側から多少離れている。入力手段３１を押し込むと、モード切換え用連動部材（間接部材）６１Ａの可動片６７は固定ピン４０を支点にして、紙面上、反時計方向へと回転するので、その引き上げ用係合部分４６は、上方方向へと位置変位する。
【００６６】
したがって、押圧片６６は後方アーム６６ｃの端部を支点にして、かつその中央部の係合部分を介して上方へと持ち上げられ、これにより、錠前は連続解錠モードの状態となる。図２２は開扉時から閉扉時になる時、解錠状態保持機構１５が後退動するトリガーの影響を受けないことを示す（連続解除モード）。
【００６７】
次に、図２７は、トリガー１２Ａを初期位置へ復帰させる別の実施例を示す説明図である。トリガー１２Ａは、先端部にマグネットを有し、閉戸時には戸枠側のマグネットの極性或いは金属片８１に対応して後退動し、一方、開扉時には、フロント板４の開口縁部に取付けられたストッパ機能を有するフロントマグネット極性或いは金属片８１に対応して初期位置へと前進する。
【００６８】
なお、本実施例のトリガー（１２、１２Ａ）は、その形態如何を問わず、先端部にマグネットを有するが、戸枠１側に小突起を設けた場合には、閉戸時、トリガーの先端部は、前記小突起に押されて後退するので、前記マグネットは本質的要件ではない。しかしながら、望ましくは「マグネットトリガー」を採用している。また、詳細な説明を割愛するが、本実施例では、駆動モータの駆動力で回転可能な伝動歯車が存在し、該伝動歯車の一側面の縁部に摺動部材用ストッパレバーの係止状態を解くための突起が設けられている。
【産業上の利用可能性】
【００６９】
本発明は、錠前或いは建具の業界で利用される。
【符号の説明】
【００７０】
Ｘ…電気錠、１…戸枠、２…受け具、３…扉、４…錠箱、６…制御部、９…開口、１０…駆動モータ、１１…動力伝達手段、１２、１２Ａ…トリガー、１４…デッドボルト、１５…解錠状態保持機構、１６…摺動部材、１７…摺動部材用ストッパレバー、１８…バネ部材、１９…固定軸、２０…ラック、２１…ダルマ、２３…動力源（付勢手段）、２４…駆動リンク、２５…作動アーム、２６…デッド用ストッパ、２７…案内切欠部、２８…複数固の検知手段、２９…解除信号発生手段、３０…表示手段、３１…入力手段（例えば操作板）、３２…連動部材、３２A…引き上げ用連動部材、３３…モード切換え確認用スイッチ、３３ａ…可動接片、３５…固定ピン、３６…復帰バネ、３７…押圧部、３８…案内部、４０…係合部、４１…バネ受け、４４…横軸、４５…筒状嵌合部、４６…押圧部兼用被案内部（可動片６６引き上げ用係合部分）、４６ａ…押圧面、４６ｂ…溝状の被係合部、４９…モード切換え手段（例えばクリック手段）、５１…ガイド溝、５１ａ…自動施錠モード用係止段部、５１ｂ…連続解除モード用係止段部、５５…第１係止面、５６…第２係止面、６１、６１Ａ…連動部材、６６…押圧片、６７…可動片。
【図１】
2011214276.tif 000003
【図２】
2011214276.tif 000004
【図３】
2011214276.tif 000005
【図４】
2011214276.tif 000006
【図５】
2011214276.tif 000007
【図６】
2011214276.tif 000008
【図７】
2011214276.tif 000009
【図８】
2011214276.tif 000010
【図９】
2011214276.tif 000011
【図１０】
2011214276.tif 000012
【図１１】
2011214276.tif 000013
【図１２】
2011214276.tif 000014
【図１３】
2011214276.tif 000015
【図１４】
2011214276.tif 000016
【図１５】
2011214276.tif 000017
【図１６】
2011214276.tif 000018
【図１７】
2011214276.tif 000019
【図１８】
2011214276.tif 000020
【図１９】
2011214276.tif 000021
【図２０】
2011214276.tif 000022
【図２１】
2011214276.tif 000023
【図２２】
2011214276.tif 000024
【図２３】
2011214276.tif 000025
【図２４】
2011214276.tif 000026
【図２５】
2011214276.tif 000027
【図２６】
2011214276.tif 000028
【図２７】
2011214276.tif 000029